(57)【特許請求の範囲】
【請求項１】
２つのステムを有するエアゾール容器のマウンティングカップに装着される固定盤と、
各ステムから吐出される内容物を個別に通す２つの連結孔を有する連結部材と、
２つの前記連結孔を取り囲んで内容物の通路を形成する内筒部を有するとともに前記マウンティングカップを覆い隠す外筒部を有するカバーと、
前記内筒部からの内容物を外界に向けて吐出させる吐出口を有する塗布部材とを備えるエアゾール容器用吐出具であって、
前記カバーは、前記外筒部を切り欠くとともに前記外筒部の下端に開放された切り欠き部を有し、前記連結部材は、前記切り欠き部に収まる摘み部を有するエアゾール容器用吐出具。
【請求項２】
前記切り欠き部を、前記マウンティングカップを間に挟んで一対設けるとともに、前記摘み部を、該切り欠き部に適合させて一対設けた請求項１に記載のエアゾール容器用吐出具。
【請求項３】
前記固定盤は、前記切り欠き部及び前記摘み部を取り囲む外周壁を有する請求項１又は２に記載のエアゾール容器用吐出具。
【請求項４】
前記連結部材は、前記２つのステムのそれぞれに連結する２つの接続筒を有する下部部材と、棒状部及び前記２つの連結孔を有する上部部材と、該下部部材及び該上部部材を開閉可能に接続するヒンジとを備え、該下部部材は前記摘み部を有し、該上部部材は他の摘み部を有する請求項１〜３の何れか一項に記載のエアゾール容器用吐出具。
【発明の詳細な説明】
【技術分野】
【０００１】
本発明は、エアゾール容器のマウンティングカップに装着されるエアゾール容器用吐出具に関するものであり、特に、２種類の内容物を別個に収容するとともに各内容物を吐出する総計２つのステムを有するエアゾール容器に用いられる吐出具に関する。
【背景技術】
【０００２】
従来、２液タイプの毛染め剤や整髪剤等を収容するエアゾール容器においては、内容物を吐出させる吐出具として、例えば特許文献１に示される如きものが用いられている。特許文献１に記載の吐出具は、１つのステムを有するエアゾール容器を左右に並べた一対のエアゾール容器に装着されるものであって、一対のエアゾール容器を一括りにしてこれらの容器を保持するホルダー（固定盤）と、棒状部の外周面に螺旋状の鍔部を有するとともに内部に内容物が流れる通路が形成された螺旋状通路ユニット（連結部材）と、棒状部、及び螺旋状の鍔部を取り囲む筒状部の内側に螺旋状通路部を形成するカバー体（カバー）と、螺旋状通路部からの内容物を外界に吐出される孔部を設けた櫛状放出部（塗布部材）とを備えている。また連結部材には、筒状部内を洗浄する際に、連結部材をカバーから取り外すための摘み部が設けられていて、摘み部は、一対のエアゾール容器の相互間に形成される空間に収まるように、連結部材の中央下部に位置している。
【先行技術文献】
【特許文献】
【０００３】
【特許文献１】特許第４２９０９４１号公報
【発明の概要】
【発明が解決しようとする課題】
【０００４】
ところで最近は、１つの容器に２種類の内容物を別個に収容するとともにマウンティングカップに２つのステムを有するエアゾール容器が用いられ始めている。しかし、かかる容器に特許文献１に記載のものを適用すると、上述した摘み部がエアゾール容器のマウンティングカップに干渉してしまうことになる。また、干渉を避けるために摘み部をマウンティングカップの上方に位置させると、吐出具の大型化を招くことになる。加えて、特許文献１に記載の摘み部はカバー体の内側に位置していることから、連結部材を取り外すには、カバーの内側に指を差し込んで摘み部を摘ままなければならず、取り外しやすさの点で改善の余地が残されている。
【０００５】
本発明は、このような点を解決することを課題とするものであり、２つのステムを有するエアゾール容器に装着することができ、またカバーから連結部材を簡単に取り外すことができる、新たなエアゾール容器用吐出具を提案することを目的とする。
【課題を解決するための手段】
【０００６】
本発明は、２つのステムを有するエアゾール容器のマウンティングカップに装着される固定盤と、
各ステムから吐出される内容物を個別に通す２つの連結孔を有する連結部材と、
２つの前記連結孔を取り囲んで内容物の通路を形成する内筒部を有するとともに前記マウンティングカップを覆い隠す外筒部を有するカバーと、
前記内筒部からの内容物を外界に向けて吐出させる吐出口を有する塗布部材とを備えるエアゾール容器用吐出具であって、
前記カバーは、前記外筒部を切り欠くとともに前記外筒部の下端に開放された切り欠き部を有し、前記連結部材は、前記切り欠き部に収まる摘み部を有するエアゾール容器用吐出具である。
【０００７】
前記切り欠き部を、前記マウンティングカップを間に挟んで一対設けるとともに、前記摘み部を、該切り欠き部に適合させて一対設けることが好ましい。
【０００８】
前記固定盤は、前記切り欠き部及び前記摘み部を取り囲む外周壁を有することが好ましい。
【０００９】
前記連結部材は、前記２つのステムのそれぞれに連結する２つの接続筒を有する下部部材と、棒状部及び前記２つの連結孔を有する上部部材と、該下部部材及び該上部部材を開閉可能に接続するヒンジとを備え、該下部部材は前記摘み部を有し、該上部部材は他の摘み部を有することが好ましい。
【発明の効果】
【００１０】
本発明では、カバーに、マウンティングカップを覆い隠すとともに切り欠き部を有する外筒部を設け、連結部材に、この切り欠き部に収まる摘み部を設けているので、マウンティングカップへの干渉が避けられるうえ、吐出具の大型化を招くことがない。また摘み部は、外筒部に設けた切り欠き部に収まっているので、連結部材をカバーから取り外す際には、カバーの内側に指を差し込む必要がなくなる。このため、連結部材が取り外しやすくなる。
【００１１】
切り欠き部を、マウンティングカップを間に挟んで一対設けるとともに、摘み部を、これらの切り欠き部に適合させて一対設ける場合は、例えば親指と人差し指でこれらの切り欠き部を挟むようにして連結部材を保持することができるので、カバーからの取り外しがより行いやすくなる。
【００１２】
固定盤に、切り欠き部及び摘み部を取り囲む外周壁を設ける場合は、この外周壁によって切り欠き部及び摘み部を覆い隠すことができるので、見映えが良くなるうえ、不用意に摘み部に触れてしまうことがない。
【００１３】
連結部材を、２つのステムのそれぞれに連結する２つの接続筒を有する下部部材と、棒状部及び２つの連結孔を有する上部部材と、下部部材及び上部部材を開閉可能に接続するヒンジとを備えるものとし、下部部材に上述した摘み部を設け、上部部材に他の摘み部を設ける場合は、連結部材の内部を洗浄するにあたり、一方の手の指で摘み部を掴み、他方の手の指で他の摘み部を掴むことができるので、連結部材をより簡単に開くことができる。
【図面の簡単な説明】
【００１４】
【図１】本発明に従うエアゾール容器用吐出具の一実施形態を、エアゾール容器に装着した状態で示す正面視での断面図である。
【図２】図１に示すエアゾール容器用吐出具の側面視での断面図である。
【図３】図１に示すエアゾール容器用吐出具の平面図である。
【図４】連結部材を開状態にした図であり、（ａ）は下面図であり、（ｂ）は（ａ）に示すＡ−Ａに沿う断面図である。
【図５】連結部材を開状態にした斜視図である。
【図６】図２に示すカバーを固定盤から取り外した状態を示す側面図である。
【図７】カバーから連結部材を取り外した状態を示す側面図である。
【発明を実施するための形態】
【００１５】
以下、図面を参照して、本発明に従うエアゾール容器用吐出具をより具体的に説明する。なお、本明細書、特許請求の範囲及び要約書では、エアゾール容器に対してエアゾール容器用吐出具が位置する側を上方とし、その反対側を下方とする。
【００１６】
図１〜図３において、符号１は、本発明に従うエアゾール容器用吐出具（以下、「吐出具」と称する）の一実施形態を示す。吐出具１は、固定盤２と、連結部材３と、カバー４と、塗布部材５とから構成されている。また符号６は、吐出具１を装着するエアゾール容器を示す。
【００１７】
エアゾール容器６は、例えば合成樹脂製となる有底筒状の容器本体１０に、例えば金属製となるマウンティングカップ１１の外縁を巻き締めして固着したものであって、容器本体１０の内側には２種類の内容物が別個に収容されている。本実施形態のマウンティングカップ１１は、容器本体１０に巻き締めした円環状部１２と、円環状部１２の上方に位置し、円周状の側面の一部を平面状にしたマウンティングカップ本体部１３とを有している。またエアゾール容器６は、それぞれの内容物の収容空間につながる総計２つのステム１４を有していて、２つのステム１４は、マウンティングカップ本体部１３から上方に向けて突出している。
【００１８】
固定盤２は、中央部に開口２０を設けて２つのステム１４を露出させた上壁２１と、マウンティングカップ本体部１３の側面を取り囲む円筒状の側壁２２とを備えている。本実施形態の側壁２２は、マウンティングカップ本体部１３の側面における平面状の部位に対応する位置にリブ２３を有していて（図２参照）、マウンティングカップ本体部１３に対して回転しないようにしている。また側壁２２の下端には、径方向外側に向けて延在するフランジ２４を設けていて、フランジ２４の下部には、円環状部１２を取り囲んで円環状部１２に抜け止め保持される嵌合壁２５を設けている。またフランジ２４の外側端には、フランジ２４に対して上下方向に延在する円筒状の外周壁２６を設けている。
【００１９】
連結部材３は、図４（ａ）、（ｂ）に示すように、下部部材３０と上部部材３１とを、薄肉状のヒンジ３２で一体に連結したものであり（図４（ａ）、（ｂ）は、連結部材３の開状態を示す）、ヒンジ３２で折り曲げることで、図１、２に示す閉状態にすることができる。
【００２０】
下部部材３０は、平板状をなす下部部材本体３３を備えている。下部部材本体３３の下方には、２つのステム１４のそれぞれに連結する２つの接続筒３４を設けていて、それぞれの接続筒３４の内側には、下部部材本体３３を貫いてステム１４から吐出させた内容物を通す貫通孔３５を設けている。また、下部部材本体３３の上方には、２つの貫通孔３５を取り囲む下部環状壁３６と、２つの貫通孔３５の間に位置する一対の下部仕切り壁３７とを設けている。そして、図１に示すように下部部材本体３３における両側の外側端には、下方に向けて延在する下部摘み部（摘み部）３８をそれぞれ設けている。また、下部摘み部３８の外面には、指掛かりとなる突起３８ａを設けている。
【００２１】
上部部材３１は、下部環状壁３６に液密に当接する上部環状壁３９を備えている。上部環状壁３９の外周面には、外側に向けて延在する一対の支持壁４０を設けていて（図２、図５参照）、各支持壁４０の外側端には、支持壁４０に対して上下方向に延在する上部摘み部（他の摘み部）４１を設けている。ここで、一方の上部摘み部４１には、その下端に前述のヒンジ３２を設けていて、他方の上部摘み部４１には、その下端に、連結部材３を閉状態にした際に下部部材本体３３に係合する爪部４２を設けている。また他方の上部摘み部４１には、その上方に、指掛かりとなる突起４１ａを設けている。
【００２２】
また、上部環状壁３９の上端には、中央部を上方に向けて筒状に突出させた天壁４３を設けている。また天壁４３の内側には、図１に示すように、対をなす下部仕切り壁３７の間に入り込む上部仕切り壁４４を設けている。そして天壁４３の上方には、上部仕切り壁４４を挟んで両側に、天壁４３を貫く孔（連結孔）４５を総計２つ設けている（図１、図５参照）。連結部材３を閉状態にした場合、下部部材３０と上部部材３１との間には、２つのステム１４からの内容物が、貫通孔３５から連結孔４５まで個別に流れる通路が形成されることになる。
【００２３】
また天壁４３には、連結孔４５の相互間から上方に向けて延在する棒状部４６を設けていて、棒状部４６の外周面には、複数の半円片４７からなる鍔状部４８を設けている。
【００２４】
図１に示すようにカバー４は、棒状部４６、鍔状部４８、及び２つの連結孔４５を取り囲んで天壁４３に液密に当接する円筒状の内筒部５０を備えている。すなわち、２つの連結孔４５を個別に通過した２種類の内容物は、鍔状部４８によって旋回しながら内筒部５０を流れるため、内容物の混合が促進されることになる。
【００２５】
また内筒部５０の上端には、外側に向けて延在する頂壁５１を設けていて、頂壁５１には、上方に向けて延在するカバー環状壁５２を設けている。また頂壁５１の中央部には、内筒部５０の内側に通じるカバー貫通孔５３を設けている。さらに頂壁５１の外側端には、内筒部５０を取り囲んで下方に向けて延在し、マウンティングカップ１１を覆い隠すとともに固定盤２の側壁２２と外周壁２６との間に入り込む外筒部５４を設けている（図１参照）。また外筒部５４には、下方から上方に向けて外筒部５４を切り欠く切り欠き部５５を設けていて、この切り欠き部５５に下部摘み部３８を収めている。本実施形態の切り欠き部５５は、マウンティングカップ１１を間に挟んで一対設けられている。また、本実施形態の下部摘み部３８、切り欠き部５５は、外周壁２６によって覆い隠されているので、見映えが良くなる。
【００２６】
さらに図２に示すように外筒部５４は、径方向外側に広がった後、下方に向けて延在する一対の操作片５６を備えている。操作片５６の内面には、傾斜部５７を設けている。ここで、操作片５６は、外側から押圧することで傾斜部５７が外周壁２６の下端に当接するように構成されている。そして、操作片５６を外側から押圧すると、カバー４は傾斜部５７に沿って下方に移動し、これによって連結部材３、及び２つのステム１４を下方に押し下げることができる。
【００２７】
塗布部材５は、頂壁５１の上方に設けられるとともに塗布部材５に嵌合保持されるドーム状壁６０を備えている。ドーム状壁６０の下面には、カバー環状壁５２と液密に当接する塗布部材環状壁６１を設けている。ドーム状壁６０の中央部には、カバー貫通孔５３を通過した内容物を外界に向けて吐出させる吐出口６２を設けている。本実施形態の吐出口６２はスリット状に形成されている。またドーム状壁６０には、吐出口６２から吐出させた内容物を、髪等の対象物に対して梳かしながら塗布するための櫛部６３を設けている。
【００２８】
このような構成になる吐出具１を用いてエアゾール容器６から内容物を吐出させるには、図２に示す操作片５６を外側から押圧する。これによって、カバー４が連結部材３及び２つのステム１４とともに下方に押し下げられる。本実施形態では図１に示すように、カバー４の外筒部５４が、固定盤２の側壁２２と外周壁２６との間に入り込むため、外筒部５４は、カバー４を押し下げる際のガイドとして機能し、カバー４を真っ直ぐ押し下げることができる。そして押し下げられたステム１４から吐出される２種類の内容物は、貫通孔３５と連結孔４５とを通り抜け、鍔状部４８によって旋回しながら内筒部５０を流れて、カバー貫通孔５３を介して吐出口６２から吐出される。その後は櫛部６３を髪等に当てながらエアゾール容器６を動かすことで、髪等を梳かしながら内容物を塗布することができる。
【００２９】
また、連結部材３を洗浄するにあたっては、図６に示すように、エアゾール容器６に対してカバー４を上方に引き上げる。これにより、固定盤２をエアゾール容器６に残したまま、カバー４を取り外すことができる。
【００３０】
外筒部５４に設けた一対の切り欠き部５５には、連結部材３の下部摘み部３８がそれぞれ収まっていることから、一方の手でカバー４を掴み、他方の手の指でこれらの下部摘み部３８を挟むようにして連結部材３を掴むことができる。そして、両方の手が互いに離れるようにすることで、図７に示すようにカバー４から連結部材３を取り外すことができる。この時、カバー４の内筒部５０内に溜まっていた内容物は、連結部材３の鍔状部４８によって掻き出されるため、その後の内筒部５０の洗浄がより簡単になる。
【００３１】
取り外した連結部材３は、一方の手の指で下部部材３０に設けた一対の下部摘み部３８を挟むようにして掴み、他方の手の指で上部部材３１に設けた一対の上部摘み部４１の上方を挟むようにして掴めば、下部部材本体３３に係合していた爪部４２が外れて、図４に示すように開状態にすることができる。これにより、連結部材３の内部を洗浄することができる。なお、下部摘み部３８に設けた突起３８ａ、及び上部摘み部４１に設けた突起４１ａは、指掛かりとして機能するので、カバー４から連結部材３を取り外す際や連結部材３を開く際の滑りを抑制することができる。
【００３２】
以上、本発明の構成とその作用効果を説明したが、本発明に従うエアゾール容器用吐出具は、上述した実施形態に限定されるものではなく、特許請求の範囲に従う範囲で種々の変更が可能である。例えば上述の実施形態では、櫛部は上方に向けて延在しているが、カバーに対して塗布部材を傾けて取り付けるようにすることで、エアゾール容器に対して櫛部を傾けて延在させるようにしてもよい。また、上述した実施形態では、カバーと塗布部材は別の部材として構成したが、これらを一体連結させてもよい。さらに、上述した実施形態では、操作片を用いてカバーを押し下げるようにしたが、操作片を省略してカバーを直接押し下げるようにしてもよい。さらに、連結部材３に、棒状部４６および鍔状部４８が設けられない構成とすることもできる。
【符号の説明】
【００３３】
１：エアゾール容器用吐出具（吐出具）
２：固定盤
３：連結部材
４：カバー
５：塗布部材
６：エアゾール容器
１０：容器本体
１１：マウンティングカップ
１２：円環状部
１３：マウンティングカップ本体部
１４：ステム
２０：開口
２１：上壁
２２：側壁
２３：リブ
２４：フランジ
２５：嵌合壁
２６：外周壁
３０：下部部材
３１：上部部材
３２：ヒンジ
３３：下部部材本体
３４：接続筒
３５：貫通孔
３６：下部環状壁
３７：下部仕切り壁
３８：下部摘み部（摘み部）
３８ａ：突起
３９：上部環状壁
４０：支持壁
４１：上部摘み部（他の摘み部）
４１ａ：突起
４２：爪部
４３：天壁
４４：上部仕切り壁
４５：連結孔
４６：棒状部
４７：半円片
４８：鍔状部
５０：内筒部
５１：頂壁
５２：カバー環状壁
５３：カバー貫通孔
５４：外筒部
５５：切り欠き部
５６：操作片
５７：傾斜部
６０：ドーム状壁
６１：塗布部材環状壁
６２：吐出口
６３：櫛部
【図１】
0006578117.tif 000002
【図２】
0006578117.tif 000003
【図３】
0006578117.tif 000004
【図４】
0006578117.tif 000005
【図５】
0006578117.tif 000006
【図６】
0006578117.tif 000007
【図７】
0006578117.tif 000008